(57)【要約】【課題】  新品な農業用シートを用いても、両端位置が揃っていない敷設状態のシートを巻き取って回収した再利用のシートロールを用いる場合にあっても、シートの左右両端を確実に土壌内に埋め込めるようにする。【解決手段】  機体走行に伴って農業用シートを繰り出し、該農業用シートによって土壌面を被覆する農業用シート敷設装置であって、該シートをロール状に巻いたシートロールを回転自在に支持するシートロール支軸を機体進行方向に対して左右方向を向いて配置すると共に、該ロール支軸を左右にスライドさせてシート端部位置を手動調整する、シート端調整手段を備える。また、シート端調整手段は、左右一対のシートスライドレバーを備え、該シートスライドレバーの操作レバー部を左右に操作することに応じて、シートロール支軸を左右にスライドさせ、農業用シートの端部位置を調整するように構成した。【選択図】      図４
2010213720.tif 000002
【特許請求の範囲】
【請求項１】
機体走行（１）に伴って農業用シート（１２）を繰り出し、該農業用シート（１２）によって土壌面を被覆する農業用シート敷設装置であって、該シート（１２）をロール状に巻いたシートロール（２３）を回転自在に支持するシートロール支軸（２４）を機体進行方向に対して左右方向を向いて配置すると共に、該ロール支軸（２４）を左右にスライドさせてシート端部位置を手動調整する、シート端調整手段を備えたことを特徴とする農業用シート敷設装置。
【請求項２】
前記シート端調整手段は、左右一対のシートスライドレバー（４２）を備え、該シートスライドレバー（４２）の操作レバー部（４２ｂ）を左右に操作することに応じて、シートロール支軸（２４）を左右にスライドさせ、農業用シート（１２）の端部位置を調整するように構成したことを特徴とする請求項１記載の農業用シート敷設装置。
【発明の詳細な説明】
【技術分野】
【０００１】
本発明は、乗用型田植機や農業用トラクタなどの走行機体に装着して使用される農業用シート敷設装置に関し、特に、播種後又は定植後の土壌面に農業用シートを敷設する農業用シート敷設装置に関する。
【背景技術】
【０００２】
農業用シートを土壌面に敷設する敷設装置としては、播種前又は定植前の土壌面に対して、いわゆるマルチフィルムを敷設するマルチ装置が知られている。例えば、特許文献１に記載されるマルチ装置は、ロータリ耕耘装置により耕耘すると同時に、一枚のロール状のビニールフィルムからなるシートをフィルム搬送部により搬送して耕耘後の土壌表面を全面被覆し、シートの一部を加入輪で土中に圧入固定するにあたり、フィルム搬送部にシートの左右両側を内方寄りに寄せるフィルム誘導案内装置を設け、該フィルム誘導案内装置によりシートが耕耘後の土壌表面に緊張状態で被覆されるようにしている。
【０００３】
ところで、農業用シートは、播種前又は定植前の土壌面に敷設されるだけでなく、播種後又は定植後の土壌面に敷設されることがある。例えば、大根、人参等の根菜類や、春菊、ほうれん草等の葉菜類の播種がなされた土壌面や、苺、メロン、西瓜等の果菜類の定植がなされた土壌面に対して、保温、保水、防霜、防鳥、防虫等を目的として農業用シートが敷設される。このような用途に適した農業用シートとしては、特許文献２に記載される農地敷設用シートが知られている。
【特許文献１】特開平３−８７１２３号公報
【特許文献２】実開平３−７４２３７号公報
【発明の概要】
【発明が解決しようとする課題】
【０００４】
しかしながら、農地敷設用シートは、シートの両端位置がきれいに揃った新品シートロールを用いる場合だけでなく、両端位置が揃っていない、例えば、敷設状態のシートを巻き取って回収した再利用のシートロールを用いる場合にあっても、シートの左右両端を確実に土壌内に埋め込まなければならないという課題がある。
【課題を解決するための手段】
【０００５】
本発明は、上記の如き実情に鑑みこれらの課題を解決することを目的として創作されたものであって、機体走行（１）に伴って農業用シート（１２）を繰り出し、該農業用シート（１２）によって土壌面を被覆する農業用シート敷設装置であって、該シート（１２）をロール状に巻いたシートロール（２３）を回転自在に支持するシートロール支軸（２４）を機体進行方向に対して左右方向を向いて配置すると共に、該ロール支軸（２４）を左右にスライドさせてシート端部位置を手動調整する、シート端調整手段を備えたことを特徴とする。
また、前記シート端調整手段は、左右一対のシートスライドレバー（４２）を備え、該シートスライドレバー（４２）の操作レバー部（４２ｂ）を左右に操作することに応じて、シートロール支軸（２４）を左右にスライドさせ、農業用シート（１２）の端部位置を調整するように構成したことを特徴とする。
【発明の効果】
【０００６】
叙述の如く構成された本実施形態によれば、機体走行（１）に伴って農業用シート（１２）を繰り出し、該農業用シート（１２）によって土壌面を被覆する農業用シート敷設装置であって、該シート（１２）をロール状に巻いたシートロール（２３）を回転自在に支持するシートロール支軸（２４）を機体進行方向に対して左右方向を向いて配置すると共に、該ロール支軸（２４）を左右にスライドさせてシート端部位置を手動調整する、シート端調整手段を備えたので、一度、敷設状態の農業用シート（１２）を巻き取り回収したもの両端位置が揃っていない再利用シートロールを用いる場合でも、農業用シート（１２）の左右端部を確実に土壌内に埋め込むことができる。
【０００７】
また、シート端調整手段は、左右一対のシートスライドレバー（４２）を備え、該シートスライドレバー（４２）の操作レバー部（４２ｂ）を左右に操作することに応じて、シートロール支軸（２４）を左右にスライドさせ、農業用シート（１２）の端部位置を調整するように構成したので、シートスライドレバー（４２）の操作レバー部（４２ｂ）を左右に操作することに応じて、シートロール支軸（２４）を左右にスライドさせ、農業用シート（１２）の端部位置を調整することが可能になる。このとき、操作レバー部（４２ｂ）は、左右のシートスライドレバー（４２）に設けられているので、敷設される農業用シート（１２）に対して左右いずれを歩行しても、農業用シート（１２）の端部位置を調整することができる。
【図面の簡単な説明】
【０００８】
【図１】走行機体及び敷設装置の平面図である。
【図２】走行機体及び敷設装置の側面図である。
【図３】敷設装置の平面図である。
【図４】敷設装置の側面図である。
【図５】敷設装置の背面図である。
【図６】敷設装置の左端部を示す平面図である。
【図７】敷設装置の左端部を示す背面図である。
【図８】リヤアクスルケースの背面図である。
【発明を実施するための形態】
【０００９】
次に、本発明の実施形態について、図面に基づいて説明する。図１及び図２において、１は乗用型田植機の走行機体であって、該走行機体１は、前輪２と後輪３により支えられており、機体前部には、図示しないエンジンが搭載される一方、機体後部には、ステアリングホイール４、主変速レバー５、座席６等を備える操縦部７が設けてある。そして、この走行機体１は、前輪２及び後輪３が畝溝８に位置することにより、播種や定植がなされた平畝９を跨ぐ状態で走行することができるようになっている。
【００１０】
走行機体１の後部には、昇降リンク機構１０が設けてあり、この昇降リンク機構１０の終端部に装着したヒッチホルダ１１を介して、農業用シート１２の敷設装置１３を着脱可能に取り付けている。尚、昇降リンク機構１０は、油圧シリンダ１４の伸縮動作に応じて上下昇降するが、これらの基本的な構成は何れも従来通りであるため、詳細な説明を省略する。
【００１１】
昇降リンク機構１０は、アッパリンク１５及びロワリンク１６を備えて構成されている。本実施形態のアッパリンク１５は、二分割に形成されると共に、ターンバックル１５ａを介して連結されている。これにより、アッパリンク１５の長さを変更し、敷設装置１３の前後姿勢を調節することが可能になる。例えば、圃場の硬軟、乾湿、土質などにより、敷設装置１３が土壌面に対して前傾又は後傾している場合は、アッパリンク１５の長さ変更により、敷設装置１３の姿勢を適正化し、敷設装置１３における敷設作業精度の低下を回避できる。
【００１２】
次に、敷設装置１３の構成について、図１〜図７を参照して説明する。敷設装置１３は、ヒッチホルダ１１にローリング自在に連結したサポートブロック１７を介して支持されている。サポートブロック１７は、敷設装置１３のフレームを構成する角パイプ製の前側横フレーム１８を走行機体１の幅方向にスライド自在に支持している。即ち、前側横フレーム１８は、サポートブロック１７の左右両端部において、上下一対のローラ１７ａにより挟持した状態でスライド可能に支持してあり、それにより敷設装置１３の位置を、走行機体１の幅方向に変更することができるようになっている。なお、１９は前側横フレーム１８のスライド位置を固定するための固定操作具である。
【００１３】
前側横フレーム１８の左右両端部には、後方に延出する角パイプ製の左側縦フレーム２０及び右側縦フレーム２１が連結されており、さらに、左側縦フレーム２０及び右側縦フレーム２１の後端部同士は、左右を向く後側横フレーム２２によって連結されている。つまり、本実施形態に係る敷設装置１３のフレームは、平面視で長方形に枠組み形成されており、左右の縦フレーム２０、２１を前側横フレーム１８のみで片持ちするフレーム構造に比べ、良好な剛性が得られる。尚、本実施形態の前側横フレーム１８は、その左右両端部を補強用の吊りロッド１８ａで吊持する構造を採用している。これにより、前側横フレーム１８を軽量化しつつ、前側横フレーム１８の左右が下方に屈曲することを防止できる。
【００１４】
敷設装置１３のフレーム上方には、シートロール２３（農業用シート１２をロール状に巻いたもの）を回転自在に支持するシートロール支軸２４が左右を向いて配置されており、また、フレーム下方には、シートロール２３から引き出された農業用シート１２をガイドするガイドパイプ２５が左右を向いて配置されている。これにより、シートロール２３から引き出された農業用シート１２は、ガイドパイプ２５の前側を通り、平畝９の土壌面に繰り出される。なお、本実施形態の農業用シート１２は、平畝９の畝幅に対し、約二倍の左右幅を有し、一枚で隣接する二列の平畝９を被覆することが可能であり、これを敷設する本実施形態の敷設装置１３は、一方の平畝９を跨いで走行する走行機体１に対して左右いずれかにオフセットする状態で装着され、隣接する二列の平畝９に対して一枚の農業用シート１２を敷設するように構成されている。
【００１５】
また、敷設装置１３のフレームには、農業用シート１２の左右端部を土壌に埋め込む埋込手段が取り付けられている。本実施形態の埋込手段は、シート埋込用の溝を形成する左右一対のロータリ２６と、該ロータリ２６が形成した溝を整形する左右一対の溝整形板２７と、整形された溝に農業用シート１２の左右端部を押し込む左右一対のシートディスク２８と、農業用シート１２の左右端部が押し込まれた溝を覆土する左右一対の覆土ディスク２９とを備えて構成されている。
【００１６】
左右のロータリ２６及び溝整形板２７は、前側横フレーム１８に取り付けられている。ここで、左側のロータリ２６及び溝整形板２７は、前側横フレーム１８に対して固定取り付けされているが、右側のロータリ２６及び溝整形板２７は、前側横フレーム１８に対して左右位置が調節自在となっている。これにより、畝幅の違う各種の圃場に対応することができる。
【００１７】
ロータリ２６は、前側横フレーム１８から前下方に延出するチェンケース３０と、該チェンケース３０の下端部に回転自在に設けられるロータリ軸３１と、該ロータリ軸３１に設けられる作溝爪３２とを備えて構成され、ロータリ軸３１の回転に伴って作溝爪３２がシート埋込用の溝を形成するようになっている。ロータリ軸３１を回転させる動力は、走行機体１の走行動力伝動系から取り出される動力であり、ユニバーサルジョイントを有する伝動軸３３を介して敷設装置１３の入力ケース３４に入力されると共に、入力ケース３４から分配軸３５を介してチェンケース３０に伝動される。これにより、ロータリ２６は、車速に連動する回転速度で作溝を行うことができる。
【００１８】
溝整形板２７は、ロータリ２６が形成した溝内に入り、該溝の整形を行う。本実施形態の溝整形板２７は、前後方向に沿う板材２７ａと、該板材２７ａの終端部に固定される丸棒２７ｂとからなり、丸棒２７ｂの幅で溝幅が規定される。ここで規定される溝幅は、シートディスク２８の幅よりも若干広くしてあり、シートディスク２８による農業用シート１２の押し込みが円滑に行えるようになっている。また、本実施形態では、ロータリ２６とシートディスク２８との間に溝整形板２７を配置するにあたり、ロータリ２６及びシートディスク２８に干渉しない範囲で溝整形板２７の前後寸法を可及的に長くしている。このようにすると、溝整形板２７とシートディスク２８との間で溝が崩れることを防止し、シートディスク２８による農業用シート１２の押し込みを確実に行うことができる。
【００１９】
シートディスク２８及び覆土ディスク２９は、後側横フレーム２２に対して、左右、上下及び前後位置調整自在に取り付けられている。つまり、シートディスク２８は、溝整形板２７により整形された溝に農業用シート１２の左右端部を確実に押し込むように位置調整が行われ、また、覆土ディスク２９は、農業用シート１２の左右端部が押し込まれた溝側に土を寄せ、溝を確実に覆土するように位置調整される。
【００２０】
本発明に係る敷設装置１３は、機体走行に伴って農業用シート１２を繰り出し、該農業用シート１２によって土壌面を被覆するにあたり、土壌面を被覆する農業用シート１２に対して弛みを付与する弛み付与手段を備えることを特徴としている。すなわち、弛みを付与した状態で農業用シート１２を土壌面に敷設することができるので、フラットで安価な通常の農業用シート１２を用いて播種後又は定植後の土壌面を被覆しても、敷設された農業用シート１２によって作物が傷んだり、作物の生育が阻害されるという従来の不都合を解消することができる。
【００２１】
弛み付与手段は、農業用シート１２の左右端部を土壌に埋め込む埋込手段の内側に設けられ、土壌面に対して所定の間隔を存する状態で農業用シート１２を仮支持する左右一対のシート仮保持部材３６で構成することができる。このようにすると、農業用シート１２の左右端部をシートディスク２８で土壌に埋め込んでいるとき、シート仮保持部材３６で農業用シート１２を仮保持するので、敷設される農業用シート１２に確実に弛みを付与することができる。
【００２２】
本実施形態のシート仮保持部材３６は、先端がリング状に曲げ加工された棒部材からなり、ロータリ２６及び溝整形板２７を前側横フレーム１８に固定するブラケット３７を利用して取り付けられている。つまり、シート仮保持部材３６は、ロータリ２６の内側位置からシートディスク２８の内側位置に亘って配置され、ここで農業用シート１２の裏側（下面）を仮保持するように、ブラケット３７から後方に向けて延出されている。また、本実施形態では、シート仮保持部材３６をブラケット３７に対して着脱自在に取り付けている。具体的には、ブラケット３７の内側に固設した筒部３７ａに対して、シート仮保持部材３６の基端折り曲げ部を上方から抜き差し自在に装着する。このようにすると、いわゆるマルチ作業において、シート仮保持部材３６を応じて取り外し、農業用シート１２を弛みのない状態で土壌面に敷設することができる。
【００２３】
以下、本実施形態に係る敷設装置１３の各部の構成について説明する。本実施形態の敷設装置１３は、ロータリ２６の外側近傍に橇状のフロート３８、３９を備えている。左側ロータリ２６の外側近傍に設けられる左側フロート３８は、ブラケット３７に固定されており、土壌面からの接地圧によりロータリ２６の作溝深さを適正に維持する。一方、右側ロータリ２６の外側近傍に設けられる右側フロート３９は、チェンケース３０に対して上下揺動自在に取り付けられると共に、前端部がロッド４０、４１を介して油圧シリンダ１４のコントロールバルブ（図示せず）に連結されている。すなわち、右側フロート３９は、敷設装置１３の対地高さを感知する感知フロートとして機能するように構成されており、敷設装置１３の沈み込みにより右側フロート３９が上昇すると、コントロールバルブが油圧シリンダ１４を上昇側に作動させる一方、敷設装置１３の浮上りにより右側フロート３９が下降すると、コントロールバルブが油圧シリンダ１４を下降側に作動させるようになっている。これにより、敷設装置１３を常に適正な対地高さに保ち、農業用シート１２を適正に敷設することができる。また、敷設装置１３を吊り下げ状態で支持し、フロート３８、３９の接地圧を極端に小さくすることができるので、フロート３８、３９の沈下を防止できるだけでなく、走行抵抗を低減できる。
【００２４】
また、本実施形態の敷設装置１３では、両端位置がきれいに揃った新品シートロール２３を用いる場合のみならず、両端位置が揃っていない再利用シートロール２３（敷設状態の農業用シート１２を巻き取り回収したもの）を用いる場合でも、農業用シート１２の左右両端を確実に土壌内に埋め込むことができるように、農業用シート１２の端部位置を手動調整するためのシート端調整手段を備えている。本実施形態のシート端調整手段は、左右一対のシートスライドレバー４２を備えて構成されている。シートスライドレバー４２は、後側横フレーム２２の左右両端部に立設されるレバー支軸４３に回動自在に外嵌される筒部４２ａと、該筒部４２ａから後方に延出する操作レバー部４２ｂと、筒部４２ａから前方に延出する支持アーム部４２ｃと、支持アーム部４２ｃの前端部に立設されるピン４２ｄとを一体的に有している。尚、筒部４２ａに対しては、図示しない皿バネにより、適度な回動抵抗が付与されている。
【００２５】
一方、シートロール２３を回転自在に支持するシートロール支軸２４は、シートロール２３の芯パイプ２３ａに挿通されると共に、ストッパ部材４４でシートロール２３の横移動を規制する。さらに、シートロール支軸２４の左右両端部には、径方向に貫通する貫通孔２４ａが形成されており、この貫通孔２４ａをシートスライドレバー４２のピン４２ｄに上方から差し込むことにより、シートロール支軸２４が左右のシートスライドレバー４２間に架け渡し状に装着される。このようにすると、シートロール２３のセットを簡単に行うことができる。
【００２６】
上記のように左右のシートスライドレバー４２間にシートロール支軸２４を装着すると、いわゆる平行リンク機構が構成されるので、シートスライドレバー４２の操作レバー部４２ｂを左右に操作することに応じて、シートロール支軸２４を左右にスライドさせ、農業用シート１２の端部位置を調整することが可能になる。このとき、農業用シート１２の端部位置を調整する補助作業者は、畝溝８上を歩行することになるが、操作レバー部４２ｂは、左右のシートスライドレバー４２に設けられているので、敷設される農業用シート１２に対して左右いずれの畝溝８を歩行しても、農業用シート１２の端部位置を調整することができ、しかも、操作レバー部４２ｂの左右角度及び上下角度は、畝溝８を歩行する補助作業者が操作し易い角度に設定されている。なお、農業用シート１２の端部位置調整が不要な新品シートロール２３を使用する場合は、レバー支軸４３の上端部に螺着されるロックナット４５を締め、筒部４２ａに回動抵抗を与えることにより、シートスライドレバー４２の回動を規制することができる。
【００２７】
図１及び図２に示すように、走行機体１には、予備のシートロール２３を載置する予備ロール台４６、４７が設けられている。本実施形態の走行機体１は、予備ロール台４６、４７を二つ備えており、一方の予備ロール台４６は機体前端部に配置され、他方の予備ロール台４７は機体後端部に配置されている。このようにすると、前側の予備ロール台４６をバランスウエイトとして機能させることができる。しかも、２本の予備シートロール２３を載置できるので、広い圃場でも、途中で予備シートロール２３を追加することなく、効率の良いシート敷設作業を行うことができる。
【００２８】
また、本実施形態の走行機体１では、前輪２及び後輪３のトレッドが変更できるようになっている。例えば、図８に示すリヤアクスルケース４８においては、車軸４９を延長すると共に、車軸４９に車輪固定用のピン孔４９ａを複数形成し、車輪固定用のピン５０をいずれかのピン孔４９ａに選択的に差し込むことにより、トレッド変更を行う。このようにすると、畝幅の異なる圃場でも畝を跨いだ走行ができ、前述の敷設装置１３を用いた農業用シート１２の敷設作業が可能になる。また、本実施形態では、後輪３のトレッド変更を可能にするにあたり、リヤアクスルケース４８の左右ファイナルケース部４８ａを補強ロッド５０で連結したので、安価な強度対策により、トレッド拡張によるリヤアクスルケース４８の破損を防止できる。
【００２９】
叙述の如く構成された本実施形態によれば、機体走行に伴って農業用シート１２を繰り出し、該農業用シート１２によって土壌面を被覆する敷設装置１３であって、土壌面を被覆する農業用シート１２に対して弛みを付与する弛み付与手段（シート仮保持部材３６）を備えるので、フラットで安価な通常の農業用シート１２を用いて播種後又は定植後の土壌面を被覆しても、敷設された農業用シート１２によって作物が傷んだり、作物の生育が阻害されるという従来の不都合を解消することができる。
【００３０】
また、弛み付与手段は、農業用シート１２の左右端部を土壌に埋め込む埋込手段（ロータリ２６、溝整形板２７、シートディスク２８及び覆土ディスク２９）の内側に設けられ、土壌面に対して所定の間隔を存する状態で農業用シート１２を仮保持するので、農業用シート１２の左右端部を土壌に埋め込むにあたり、農業用シート１２に確実に弛みを付与することができる。
【符号の説明】
【００３１】
１        走行機体
８        畝溝
９        平畝
１２        農業用シート
１３        敷設装置
２３        シートロール
２６        ロータリ
２７        溝整形板
２８        シートディスク
２９        覆土ディスク
３６        シート仮保持部材
４２        シートスライドレバー
【図１】
2010213720.tif 000003
【図２】
2010213720.tif 000004
【図３】
2010213720.tif 000005
【図４】
2010213720.tif 000006
【図５】
2010213720.tif 000007
【図６】
2010213720.tif 000008
【図７】
2010213720.tif 000009
【図８】
2010213720.tif 000010